(57)【要約】      （修正有）【課題】映像認証機能を備えた、郵便ポスト付き宅配ボックス改良型である宅配ボックスシステムを提供する。【解決手段】映像取得するカメラと、カメラの映像に映された身分証または社員証から配達員を認証する認証部と、配達員を認証した場合に宅配ボックスの扉のロックを解除する解除部と配達員が挿入した伝票に受領印を捺印する捺印部とを備える。【選択図】図１
0003200410.tif 000002
【実用新案登録請求の範囲】
【請求項１】
本考案は、セキュリティー機能付きの映像通信機器と録画機能付きの映像機器をシステムユニット商品として構成し、不在時においては住宅の管理と監視を行なうことも出来る、企業ネットワークシステムによる映像認証機能と料金自動支払い機能を備えた、郵便ポスト付き宅配ボックス改良型である。
改良技術機能を備えることにより、不在時でも、インターネット接続通信システムを利用して、双方向通信が行なえるモニタリングで外出先から来訪者を確認して応対も出来ます。インターネット通販サイト加盟会員店のセールとポイントサービスを利用して商品購入が増加し、支払い方法によって商品の配達方法も料金も異なり、提携する宅配事業会社も異なります。本考案のネットワークシステムを宅配事業会社が利用することにより、商品配達先の不在時における郵便、宅配事業会社の配達員の負担軽減とコスト軽減に繋がることになり、その軽減する収益を換算すると、投資資金が可能となり、企業も新たなビジネスネットワークを構築することが出来ます。
セキュリティー機能付きセンサーカメラのシステムにより、日常生活においても防犯管理機能を備えており、システムアップすることにより、提携ビジネスネットワークによる新たなサービスが提供出来ます。国内および海外からでも、来訪者とモニタリングスマートファンで通話も出来る、ワールドネットワークシステムとして考案した、ハウジングソリューションプロモート「ロイヤルボックスマイフォン」に関するものである。
【考案の詳細な説明】
【技術分野】
【０００１】本考案は、セキュリティー機能付きの映像通信機器と録画機能付き映像機器を住宅内外に設置接続し、ドアホンと宅配ボックスに映像認証機能と料金自動支払機能を備えた、ワールドネットワークシステムロイヤルボックスマイフォンに関するものである。
【背景技術】
【０００２】ドアホンと宅配ボックスの設置に関して、住宅建設地域の状況および、土地の形状、建築設計、購入者または建替えの施主の用途、要望も異なり、国内市場全体を見ても需要が少ない。商品の優れた性能と利便性が活かされておらず、購入者に対する商品性能と利便性のアピールが少ないので、購買意欲促進に繋がらない。
【考案の開示】
【考案が解決しようとする課題】
【０００３】現在、日本の住宅生活事情と環境は、ＩＴ技術の発達に伴って電機、通信事業が、人々の生活上欠かせない情報メディアツールとしてまた娯楽用のコミュニケーションツールとして、電話通信、ＩＴ情報機器を用いて消費する需要が人々の生活の大半を占めているのが現状である。
住宅、家電、自動車、衣料小売り産業に関連した商品の販売においての金融情勢を見ても、積極的な融資が行われず、停滞しているのが現実である。
次世代を考えたネットワークビジネスを構築しながら、国内に展開し海外への進出を、図ることが解決策でもある。
海外市場を発掘し、拡販し販売を展開することにより、企業の事業収益も増加し、国内での金融機関の融資も、積極的に、企業の事業計画、設備投資、雇用に関して積極的な展開になるように繋げていくことである。
【課題を解決するための手段】
【０００４】本考案は、宅配ボックスにセキュリティーシステムによる認証機能付きのカメラ、テレビドアホン、システム機能付きのデジタルテレビ、ブルーレイディスクレコーダー、パソコンなどの映像機器、ファックス電話機、無線ＬＡＮ・アダプターで接続した、自宅の部屋でテレビを見ながら、部屋の中から訪問者の確認が行なうことが出来ます。
郵便物の配達時における書留の受け取り、およびパック小荷物の代引き手数料など、宅配便の配達時における、日常業務に存在する課題の解決を図るために、新たな技術を生かした、日本企業連携によるシステムネットワークサービスとして、カメラ映像での身分証明または社員証提示による、配達員の認証確認を行ない、留守や不在の時でも配達商品を宅配ボックスへ届けることが出来ます。
配達時において不在の際、テレビドアホンにて認証を行い確認後、商品のお届けと同時に配達伝票の自動捺印機能と配達商品の代引き手数料を自動支払いモニタリング機能付きスマートフォンで行ないます。
日常の生活に便利なセキュリティー機能付きでありセンサーカメラ接続システムにより、外出先から自宅内外の様子を映像で遠隔監視と訪問者の確認および通話も出来ます。またテレビで海外、県外地方にいる家族や親戚友人の間で通話も出来ます。実用化となれば、海外への販売展開も可能になると思います。
【考案の効果】
【０００５】宅配ボックス本体は、ドアホンカメラ付き、郵便ポスト付きで市販されているが、商品の需要も少ないのが課題でもある。
メーカーの優れた知識と技術で改良開発された、本考案商品の機器と接続するシステム機能は、セキュリティー対策にも対応しており、メディアコミュニケーションシステムも、充実しており、テレビで通話もできる新しい住宅用システム商品として、日常生活上便利であり、次世代を考えたビジネスソリューションネットワークでサポートする本考案の商品システムを住宅、分譲マンション購入者、建設会社に建替え、リフォーム時のレファレンスプランとして提案し、アーキテクトプロモートアセット商品としてマーケットに公開し、商品の販売展開を行ないます。
【考案を実施するための最良の形態】
【０００６】改良型宅配ボックス施工時にテレビドアホン、ファックス電話、ドアホンアダプターセンサーカメラ、ＬＡＮケーブル、デジタルテレビ、ブルーレイディスクレコーダーを接続し、パソコン、ルーターハブを配線接続する。室内からリンクするネットワークカメラ、ビデオ通話用コミュニケーションカメラを接続し、このシステムに対応した、購入者様が加入する携帯電話会社のスマートフォンでのモニタリングが出来ます。
【実施例】
【０００７】以下、添付図面に従って一実施商品参考例を説明する。
１の宅配ボックスを設置工事の際２のテレビドアホンをセットで設置する。
３のワイヤレスカメラセットで４のファックス電話機を設置する。オプションで７−Ａコミュニケーションカメラ７−Ｂワイヤレスカメラ７−Ｃネットワークカメラを設置。
５のハブポートへ２のドアホンと６の無線ルーターと８デジタルテレビ９ブルーレイディスクレコーダー１０ポータブルテレビをセットで接続し１１パソコンを接続する。１２スマートフォンでモニタリングをする。
【産業上の利用可能性】
【０００８】本商品の電機メーカーのシステムネットワークサービスとして、映画、ドラマ、動画、ゲーム、カラオケ、ラジオなど多種の業界が提携を行っており、これに加えて、認証システムを利用した料金支払・収納サービスの金融、保険、電話通信、郵便、宅配業が提携することで、新たなオンラインネットサービスが利用出来ることになります。またシステム接続することにより、公共機関等のネットサービスや警察庁等の防犯システムとして産業上利用することも出来ます。
近い将来は、政府の住基ネットワーク「マイナンバー」を利用した、自治体の新しいサービスも、利用が出来ることも考えられます。【０００９】事業提携ネットワークシステムサービスとして、無料・有料コースに応じた顧客サービスを提供する為の生涯契約オーナープランを、新たな企業連携として自治体サービスネットワークとして創ることが出来ます。
【図面の簡単な説明】
【００１０】
【図１】本考案の一実施商品参考例を示します。住宅購入、建替え、リフォームの購入の顧客にリファレンスプランとして  １  宅配ボックス  認証機能付きの改良型、相手を確認して、宅配ボックスの扉ロックの開閉を行い、小荷物収納を相互で確認して、伝票を挿入し、受領印スタンプ捺印機能付き。代引き手数料等の支払いがある場合、スマートフォン自動支払サービスシステムとして、ネットワークシステムに提携した機能を備えています。２  テレビドアホン  テレビドアホンワイヤレスモニター親機、録画機能付、ワイヤレスモニター子機、ＬＥＤライト付カメラ玄関子機。３  センサーカメラ  ＬＥＤライト付屋外ワイヤレスカメラ。４  ファックス電話子機付  ワイヤレスアダプター機能搭載コードレスファックス電話。５  ハブＬＡＮケーブル接続機器。６  無線ルーターインターネットに接続してシステムアップします。７−Ａコミュニケーションカメラ  ７−Ｂワイヤレスカメラ  ７−Ｃネットワークカメラは、購入者の希望に応じて、１つ選んでいただく。８  デジタルテレビ  無線ＬＡＮ内臓、クライアント機器に接続ジャンプリンク機能搭載。９  ブルーレイディスクレコーダーＷｉ−Ｆｉ内臓  ジャンプリンク機能搭載。１０  ポータブルテレビ  キッチン・バスルーム設置タイプです。中継アンテナ  １１  パソコン  ソリューションカンパニーによるネットワークサービスの利用が受けられます。１２  スマートフォン  モニターレボリューション、外出先からテレビやドラマもファックスもドアホンも宅配も、モニタリング機能を装備するモデル。
0003200410.tif 000003
0003200410.tif 000004
0003200410.tif 000005
0003200410.tif 000006
0003200410.tif 000007
【手続補正書】
【提出日】平成27年8月3日(2015.8.3)
【手続補正１】
【補正対象書類名】実用新案登録請求の範囲
【補正対象項目名】全文
【補正方法】変更
【補正の内容】
【実用新案登録請求の範囲】
【請求項１】
映像取得するカメラと、カメラの映像に映された身分証または社員証から配達員を認証する認証部と、配達員を認証した場合に宅配ボックスの扉のロックを解除する解除部と配達員が挿入した伝票に受領印を捺印する捺印部とを備えたことを特徴とする宅配ボックスシステム。
【手続補正４】
【補正対象書類名】明細書
【補正対象項目名】００１０
【補正方法】変更
【補正の内容】
【００１０】
【図１】本考案の一実施商品参考例と商品の機能と特徴。住宅購入、建替え、リフォームの顧客に購入リファレンスプラン
【図２】宅配ボックス  カメラドアホンで認証後、宅配ボックスの扉ロックの開閉を行い、小荷物の収納を確認する。伝票挿入、受領印のスタンプ捺印機能付きです。代金、手数料等の支払いがある場合、ソリューションネットワークシステムに接続。ソリューションネットワークシステム提携の金融機関サービス
【図３】カメラドアホン玄関子機（ＬＥＤライト付き）
【図４】テレビドアホンワイヤレスモニター親機（録画機能付き）
【図５】テレビドアホンワイヤレスモニター子機
【図６】ワイヤレスセンサーカメラ（ＬＥＤライト付き）
【図７】コードレスファックス電話（子機付き）  ワイヤレスアダプター機能搭載
【図８】ハブ  ＬＡＮケーブル接続機器
【図９】無線ルーター  テレビドアホン親機とスマートフォンとのネットワーク接続システムアップ必需品
【図１０】コミュニケーションカメラ
【図１１】ワイヤレスカメラ
【図１２】ネットワークカメラ  購入者  希望選択商品
【図１３】デジタルテレビ  無線ＬＡＮ内臓、クライアント機器接続ジャンプリンク機能搭載
【図１４】ブルーレイディスクレコーダーＷｉ−Ｆｉ内臓  ジャンプリンク機能搭載
【図１５】ポータブルテレビ  キッチン・バスルーム設置用
【図１６】中継アンテナ
【図１７】パソコン  ソリューションネットワークサービス  システムアップ必需品
【図１８】スマートフォン  モニターレボリューション  外出先からファックスに届いた書類の確認カメラドアホンで来訪者の確認、宅配便の受け取りなどのモニタリングが行える。（無線ルーターに接続して専用アプリケーションドアホンのダウンロードを要します。）
【手続補正５】
【補正対象書類名】図面
【補正対象項目名】全図
【補正方法】変更
【補正の内容】
【図１】
0003200410.tif 000008
【図２】
0003200410.tif 000009
【図３】
0003200410.tif 000010
【図４】
0003200410.tif 000011
【図５】
0003200410.tif 000012
【図６】
0003200410.tif 000013
【図７】
0003200410.tif 000014
【図８】
0003200410.tif 000015
【図９】
0003200410.tif 000016
【図１０】
0003200410.tif 000017
【図１１】
0003200410.tif 000018
【図１２】
0003200410.tif 000019
【図１３】
0003200410.tif 000020
【図１４】
0003200410.tif 000021
【図１５】
0003200410.tif 000022
【図１６】
0003200410.tif 000023
【図１７】
0003200410.tif 000024
【図１８】
0003200410.tif 000025